(57)【特許請求の範囲】
【請求項１】
カメラユニット部と、前記カメラユニット部を回転させる雲台部とを備える撮像装置において、
前記カメラユニット部を回転させるためのモータが駆動状態であるか否かを判別する判別手段と、
前記カメラユニットの回転を検出する検出手段と、
前記判別手段においてモータが駆動状態ではないと判別された場合であってかつ前記検出手段によって前記カメラユニットの回転が検出された場合、前記カメラユニット部において撮影された画像の記録および警告音の発生のうち少なくともいずれか一方を行う制御手段とを備えることを特徴とする撮像装置。
【請求項２】
さらに、前記記録された画像を外部の装置に送信する送信手段を有することを特徴とする請求項１記載の撮像装置。
【請求項３】
カメラユニット部と、前記カメラユニット部を回転させる雲台部とを備える撮像装置の制御方法であって、
前記カメラユニット部を回転させるためのモータが駆動状態であるか否かを判別する判別ステップと、
前記カメラユニットの回転を検出する検出ステップと、
前記判別ステップにおいてモータが駆動状態ではないと判別された場合であってかつ前記検出ステップにおいて前記カメラユニットの回転が検出された場合、前記カメラユニット部において撮影された画像の記録および警告音の発生のうち少なくともいずれか一方を行う制御ステップとを備えることを特徴とする制御方法。
【請求項４】
カメラユニット部と、前記カメラユニット部を回転させる雲台部とを備える撮像装置の制御方法をコンピュータにより実行させるプログラムであって、
前記制御方法は、
前記カメラユニット部を回転させるためのモータが駆動状態であるか否かを判別する判別ステップと、
前記カメラユニットの回転を検出する検出ステップと、
前記判別ステップにおいてモータが駆動状態ではないと判別された場合であってかつ前記検出ステップにおいて前記カメラユニットの回転が検出された場合、前記カメラユニット部において撮影された画像の記録および警告音の発生のうち少なくともいずれか一方を行う制御ステップとを備えることを特徴とするプログラム。
【発明の詳細な説明】
【技術分野】
【０００１】
本発明は、撮像装置及びその制御方法、並びにプログラムに関し、特にパンチルト制御を行いながら監視を行う撮像装置及びその制御方法、並びにプログラムに関する。
【背景技術】
【０００２】
防犯用として、従来より駅やデパートなどの多くの場所で監視カメラが設置されていたが、近年では、家庭用の防犯対策として小型の監視カメラも普及し始めている。
【０００３】
一般的な監視カメラは、その撮影した映像を離れた場所にあるモニタに表示する。これにより、ユーザはリアルタイムに遠隔地からその撮影された映像を確認することができる。
【０００４】
また、撮影された映像を記憶装置に保存しておき、後で映像を確認することができるようにした監視カメラも知られている。さらには、上記映像保存用の記憶装置を監視カメラ自体に取り付けることのできるようにしたものも提案されている。
【０００５】
一方で、監視カメラが破壊されたり、盗まれたりすることも起こりえるため、監視カメラ自体の盗難事故や、それに伴う損傷事故に対処するさまざまな方法が提案されている。
【０００６】
例えば、監視カメラが赤外線センサにより不審者が侵入したことを検知したときに警報を鳴らすという方法（例えば、特許文献１参照）が従来技術として知られている。また、監視カメラが振動センサにより被監視対象物に異常な振動があったことを検知したときに警報を鳴らすという方法（例えば、特許文献２参照）も従来技術として知られている。
【特許文献１】特開平０５-００６４２０号公報
【特許文献２】特開２００４-１６４１０３号公報
【発明の開示】
【発明が解決しようとする課題】
【０００７】
しかしながら、上記従来技術の方法では、異常を検知するためだけに監視カメラに赤外線センサや振動センサを設けているため、装置が複雑になり、またコストも余計にかかってしまう恐れがある。
【０００８】
本発明の目的は、異常を検知するためだけのセンサを別途撮像装置に設けることなく、撮像装置が破壊された場合等の犯人特定を行うことができる撮像装置及びその制御方法、並びにプログラムを提供することにある。
【課題を解決するための手段】
【０００９】
上記目的を達成するために、請求項１記載の撮像装置は、カメラユニット部と、前記カメラユニット部を回転させる雲台部とを備える撮像装置において、前記カメラユニット部を回転させるためのモータが駆動状態であるか否かを判別する判別手段と、前記カメラユニットの回転を検出する検出手段と、前記判別手段においてモータが駆動状態ではないと判別された場合であってかつ前記検出手段によって前記カメラユニットの回転が検出された場合、前記カメラユニット部において撮影された画像の記録および警告音の発生のうち少なくともいずれか一方を行う制御手段とを備えることを特徴とする。
【００１０】
上記目的を達成するために、請求項３記載の制御方法は、カメラユニット部と、前記カメラユニット部を回転させる雲台部とを備える撮像装置の制御方法であって、前記カメラユニット部を回転させるためのモータが駆動状態であるか否かを判別する判別ステップと、前記カメラユニットの回転を検出する検出ステップと、前記判別ステップにおいてモータが駆動状態ではないと判別された場合であってかつ前記検出ステップにおいて前記カメラユニットの回転が検出された場合、前記カメラユニット部において撮影された画像の記録および警告音の発生のうち少なくともいずれか一方を行う制御ステップとを備えることを特徴とする。
【００１１】
上記目的を達成するために、請求項４記載のプログラムは、カメラユニット部と、前記カメラユニット部を回転させる雲台部とを備える撮像装置の制御方法をコンピュータにより実行させるプログラムであって、前記制御方法は、前記カメラユニット部を回転させるためのモータが駆動状態であるか否かを判別する判別ステップと、前記カメラユニットの回転を検出する検出ステップと、前記判別ステップにおいてモータが駆動状態ではないと判別された場合であってかつ前記検出ステップにおいて前記カメラユニットの回転が検出された場合、前記カメラユニット部において撮影された画像の記録および警告音の発生のうち少なくともいずれか一方を行う制御ステップとを備えることを特徴とする。
【発明の効果】
【００１２】
本発明によれば、撮像装置は、判別手段においてカメラユニット部を回転させるためのモータが駆動状態ではないと判別された場合であってかつ検出手段によってカメラユニットの回転が検出された場合、カメラユニット部において撮影された画像の記録および警告音の発生のうち少なくともいずれか一方を行うので、通常動作中に用いられている検知手段を異常、すなわち、手動で雲台部が動かされたか否かを検知するセンサとしても用いることができ、異常を検知するためだけのセンサを別途撮像装置に設けることなく、撮像装置が破壊された場合等の犯人特定を行うことができる。
【００１４】
好ましくは、上記記録された画像を外部の情報処理装置に送信する送信手段を有することにより、撮像装置が盗まれた場合でも、その前後の画像を遠隔地の情報端末に送信することができ、犯人を確実に特定することができる。
【発明を実施するための最良の形態】
【００１６】
以下、本発明の実施の形態を図面を用いて詳述する。
【００１７】
図１は、本発明の実施の形態に係る撮像装置の構成を概略的に示すブロック図である。
【００１８】
図１において、撮像装置１は、カメラユニット部２と、雲台部３と、通信部４と、記録部５とを備える。
【００１９】
カメラユニット部２は、ズーム・フォーカス光学系からなる撮像光学系、露光調整装置、カメラユニット部２全体を駆動するための駆動系からなるレンズユニット（いずれも不図示）を備える。さらに、カメラユニット部２は、画像撮影を行う撮像素子を有する撮像回路基板、及び信号処理回路を有するカメラ回路基板（いずれも不図示）等を備える。
【００２０】
雲台部３は、上記カメラユニット部２を支持すると共に、水平回転させるパンニング手段と、上記カメラユニット部２を支持すると共に、垂直傾動（回転）させるチルティング手段からなるパンチルト機構（不図示）を有し、上記カメラユニット部２における撮影方向を任意の方向に回転させることができる。
【００２１】
通信部４は、ネットワーク回路や電源ユニット（いずれも不図示）等が装着されている通信機能を備える。これにより、本撮像装置１は、例えば、無線ＬＡＮやインターネットなどの通信網を経由してさまざまな情報端末に接続することができる。
【００２２】
記録部５は、画像を書き込んでいるバッファメモリ５ａと、上記バッファメモリ５ａに画像が保存されていることを表示する表示部５ｂと、警告音を出力するスピーカー５ｃと、後述する不図示の補助メモリ１０５を備える。
【００２３】
表示部５ｂは、表示機能を有するものであればよく、例えば液晶、有機ＥＬ、ＬＥＤ等から構成される。
【００２４】
図２は、図１における雲台部３の機構を説明するのに用いられる図であり、（ａ）は雲台部３の正面図であり、（ｂ）は雲台部３の上面図である。
【００２５】
図２（ａ）において、雲台部３は、パン回転軸３ａ−１を中心にパン（水平）方向に回転するパン機構３ａと、チルト回転軸３ｂ−１を中心にチルト（垂直）方向に回転するチルト機構３ｂとを備える。さらに、雲台部３は、パンの回転位置を検出するためのパン用エンコーダ３ａ−３と、チルトの回転位置を検出するためのチルト用エンコーダ３ｂ−２とを備える。
【００２６】
パン機構３ａは、パン用モータ３ａ−２が駆動することによりパン用モータ軸（不図示）に取り付けられたモータギア３ａ−４が回転し、モータギア３ａ−４とかみ合うカサ歯ギア３ａ−５に回転が伝達される。カサ歯ギア３ａ−５はパン回転軸３ａ−１と同軸上に固定されており、カサ歯ギア３ａ−５からパン回転軸３ａ−１に回転がさらに伝達される。
【００２７】
図２（ｂ）において、チルト機構３ｂは、チルト用モータ３ｂ−２が駆動することによりチルト用モータ軸（不図示）に取り付けられたモータプーリ３ｂ−４が回転する。さらに、モータプーリ３ｂ−４に取り付けられたタイミングベルト３ｂ−５によって、チルトプーリ３ｂ−６に回転が伝達される。モータプーリ３ｂ−６はチルト回転軸３ｂ−１と同軸上に固定されており、モータプーリ３ｂ−６からチルト回転軸３ｂ−１に回転がさらに伝達される。
【００２８】
パン用モータ３ａ−２及びチルト用モータ３ｂ−２は、ＤＣモータやステッピングモータなど動力を出力するあらゆるモータを用いることができる。しかし、超音波モータは、応答性に優れており、且つ駆動命令信号を入力後すぐに駆動することができるため、上記モータとして超音波モータを用いていることが好ましい。これにより、すばやいパンチルト動作で撮像装置１の撮影方向を変えることができる。また、超音波モータは保持トルクがあるため、モータが駆動していない状態でも撮像装置１の位置を保持することができる。さらに、超音波モータは電磁モータに比べて低速で高トルクの出力が得られるため、少ないギア減速でモータ機構部を構成でき、撮像装置１全体を小型化することができる。
【００２９】
パン用エンコーダ３ａ−３は、パン用モータ３ａ−２の回転軸に取り付けられており、また、チルト用エンコーダ３ｂ−２は、チルト用モータ３ｂ−２の回転軸に取り付けられている。
【００３０】
パン用エンコーダ３ａ−３は、パン用モータ３ａ−２の回転軸の回転を検出する。従って、パン用エンコーダ３ａ−２は、上述したパン用モータ３ａ−２の駆動によるパン用モータ３ａ−２の回転軸の回転だけでなく、外部から手動で雲台部３が回転したことによるパン用モータ３ａ−２の回転軸の回転も検出する。
【００３１】
同様に、チルト用エンコーダ３ｂ−２は、上述したチルト用モータ３ｂ−２の駆動によるチルト用モータ３ｂ−２の回転軸の回転だけでなく、外部から手動で雲台部３が回転したことによるチルト用モータ３ｂ−２の回転軸の回転も検出する。
【００３２】
図３は、撮像装置１の機能構成を示すブロック図である。
【００３３】
図３において、撮像装置１は、自装置全体を制御するシステム制御回路１０７と、パン用エンコーダ３ａ−２及びチルト用エンコーダ３ｂ−２から成るロータリーエンコーダ１１２とを備える。また、撮像装置１は、パン用モータ３ａ−２及びチルト用モータ３ｂ−２から成るモータ１１１と、モータ１１１を駆動するモータ駆動回路１１０と、モータ駆動回路を制御するモータ制御回路１０９とを備える。
【００３４】
さらに、撮像装置１は、カメラユニット部２の撮像回路基板にある撮像素子１０１と、カメラユニット部２のカメラ回路基板にある信号処理回路１０２と、通信部４にある通信Ｉ／Ｆ１０３と、記録部５にあるバッファメモリ５ａとを備える。また、撮像装置１は、同じく記録部５にある大容量のハードディスクから成る補助メモリ１０５、表示部５ｂ、及びスピーカー５ｃを備える。
【００３５】
まず、ロータリーエンコーダ１１２より回転が検出された旨の信号（エンコーダ信号）がシステム制御回路１０７に出力されると、システム制御回路１０７はモータ１１１が駆動状態か停止状態かを判別する。
【００３６】
上記判別の結果、モータ１１１が駆動状態である場合、システム制御回路１０７は、ロータリーエンコーダ１１２からの出力信号に基づき、モータ制御回路１０９、モータ駆動回路１１０を経由してモータ１１１の制御を行う。一方、システム制御回路１０７は、定期的に撮像素子１０１により撮影された画像信号を信号処理回路１０２を経由して保存形式に変換し、バッファメモリ５ａに循環的に更新、記録する。
【００３７】
一方上記判別の結果、モータ１１１が停止状態である場合、すなわち手動で雲台部３が動かされたとき、システム制御回路１０７は、メモリ制御回路１０６に移動検出信号を出力する。メモリ制御回路１０６は、この移動検出信号の出力があったとき、バッファメモリ５ａに保存された画像の中からその移動検出信号の出力時刻の一定時間前の画像と、一定時間後の画像とを読み出す。その後、メモリ制御回路１０６は、その読み出した画像に何番目に出力された移動検出信号かを示すシリアルナンバーや発生時刻などの管理データを付けて補助メモリ１０５に記録する。
【００３８】
さらに、システム制御回路１０７は、上記補助メモリ１０５に記録された画像を通信Ｉ／Ｆ１０３、通信網を介して遠隔の情報端末に送信する。
【００３９】
また、システム制御回路１０７は、スピーカー５ｃ及び表示部５ｂにも上記移動検出信号を出力する。スピーカー５ｃは、この移動検出信号の出力があったときに警告音を発生する。また、表示部５ｂは、この移動検出信号の出力があったときに上記画像が保存されていることを表示する。
【００４０】
さらに、システム制御回路１０７は、モータ１１１が停止状態であると判別した場合、その判別時点で上記定期的な撮像素子１０１による画像撮影が行われるか否かを判別する。上記定期的な画像撮影が行われないとき、システム制御回路１０７は、撮像素子１０１による画像撮影を行い、その撮影された画像信号を信号処理回路１０２を経由して保存形式に変換して、メモリ制御回路１０６に送信する。メモリ制御回路１０６は、この撮影された画像信号が送信されると、これを補助メモリ１０５に保存する。また、ステム制御回路１０７は、上記補助メモリ１０５に記録された画像も通信Ｉ／Ｆ１０３、通信網を介して遠隔の情報端末に送信する。
【００４１】
本実施の形態に係る補助メモリ１０５は大容量のハードディスクであるが、電源を落とした状態でも保存が可能な記憶媒体であればこれに限定されない。
【００４２】
以下、図３で概略的に説明した撮像処理の手続きの流れを以下の図４のフローチャートを用いて、より詳細に説明する。
【００４３】
図４は、撮像装置１による撮影処理の手順を示すフローチャートである。
【００４４】
図４において、まず、定期的に撮像素子１０１により画像が撮影されると、この撮影された画像をバッファメモリ５ａに保存する（ステップＳ２０１）。
【００４５】
その後、モータが駆動状態であるか否かを判別し（ステップＳ２０２）、駆動状態であればステップＳ２０３へ進み、駆動状態でなく、停止状態である場合はステップＳ２０４へ進む。
【００４６】
ステップＳ２０３では、ステップＳ２０２のモータ駆動後にロータリーエンコーダ１１２から出力されたエンコーダ信号から回転値を読み出し、その回転値と目標値の差がユーザが事前に設定した所定量内であるか否かを判別する。この判別の結果、所定量内であるときは、正しく制御が行われていると判断してステップＳ２０１からの処理に戻り、一方、所定量内でないときは、手動で雲台部３が動かされたと判断してステップＳ２０５に進む。
【００４７】
一方、ステップＳ２０４では、ロータリーエンコーダ１１２からエンコーダ信号が出力されているか否かを判別する。この判別の結果、エンコーダ信号が出力されなかったときは、正しく制御が行われていると判断してステップＳ２０１からの処理に戻り、一方、エンコーダ信号が出力されたときは、手動で雲台部３が動かされたと判断してステップＳ２０５に進む。
【００４８】
ステップＳ２０５では、バッファメモリ５ａの画像を補助メモリ１０５に保存する。このとき保存される画像は、ステップＳ２０４からの処理の場合は、エンコーダ信号が出力された時刻の前後の画像である。また、ステップＳ２０３から進んできた場合は、エンコーダ信号が出力された時刻のうち、その出力されたエンコーダ信号から読み出した回転値と目標値の差が所定量よりも大きくなった時刻の前後の画像である。尚、このとき補助メモリ１０５に保存される画像の長さは、ユーザが事前に設定することができる。また、このときスピーカ５ｃから警報を発生する。これにより、撮像装置１を盗難もしくは破壊しようとする犯人に対して威嚇することができる。
【００４９】
次に、ステップＳ２０５で補助メモリ１０５に保存されたデータを、通信網を介して遠隔地の情報端末に送信する（ステップＳ２０６）。これにより、撮像装置１が盗まれた場合でも、その前後の画像を遠隔地の情報端末に送信することができ、犯人を確実に特定することができる。
【００５０】
その後、表示部５ｂに画像が保存状態であること表示して（ステップＳ２０７）、本処理を終了する。
【００５１】
図４の処理によれば、撮像装置１は、ロータリーエンコーダ１１２から出力されたエンコーダ信号に基づいて制御された雲台部３の回転状態において、定期的に撮影された画像をバッファメモリ５ａに保存する（ステップＳ２０１〜Ｓ２０４）。一方、雲台部３の回転状態が上記エンコーダ信号に基づいて制御されていないときに（ステップＳ２０３，Ｓ２０４でＹＥＳ）、その信号出力時刻前後で撮影された画像をバッファメモリ５ａから読み出す。その後、その読み出した画像を補助メモリ１０５に保持する（ステップＳ２０５）。これにより、通常動作中に用いられているロータリーエンコーダ１１２を異常、すなわち、手動で雲台部３が動かされたか否かを検知するセンサとしても用いることができる。さらに、異常を検知するためだけのセンサを別途撮像装置１に設けることなく、撮像装置１が破壊された場合等の犯人特定を行うことができる。
【００５２】
また、ステップＳ２０４でエンコーダ信号の出力があった場合、その出力時刻において上記ステップＳ２０１における定期的な画像撮影が行われないときは、その時刻での撮像素子による画像撮影も行い、これも補助メモリ１０５に保存するようにしてもよい。これにより、撮像装置１は上記異常検知時の様子を確実に撮影することができる。
【００５３】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５４】
この場合、記憶媒体から読み出されたプログラムコード自体が前述した各実施の形態の機能を実現することになり、そのプログラムコード及び該プログラムコードを記憶した記憶媒体は本発明を構成することになる。
【００５５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５６】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００５８】
【図１】本発明の実施の形態に係る撮像装置の構成を概略的に示すブロック図である。
【図２】図１における雲台部の機構を説明するのに用いられる図であり、（ａ）は雲台部の正面図であり、（ｂ）は雲台部の上面図である。
【図３】撮像装置の機能構成を示すブロック図である。
【図４】撮像装置による撮影処理の手順を示すフローチャートである。
【符号の説明】
【００５９】
１  撮像装置
２  カメラユニット部
３  雲台部
４  通信部
５  記録部
５ａ  バッファメモリ
１０５  補助メモリ
１１２  ロータリーエンコーダ
【図１】
0004642636.tif 000002
【図２】
0004642636.tif 000003
【図３】
0004642636.tif 000004
【図４】
0004642636.tif 000005